(57)【要約】【課題】  ピックアップレンズとブラシを接触させた状態でブラシを組み付けたスライド体の移動を規制し、ブラシとターンテーブルとの干渉を防止できるようにする。【解決手段】  トレイ３にスライド体１３を摺動自在に組み付ける。スライド体１３はストッパ２１とブラシ１６とを備える。トレイ３はディスクが交換可能な搬出位置へと移動する際、スライド体１３のストッパ２１とフレーム７の支持部７Ｄとが係合し、スライド体１３はブラシ１６とピックアップレンズ５とが接触した状態で移動が規制される。一方、ディスクの情報を読み込む搬入位置へとトレイ３を移動すると、スライド体１３はコイルバネ２０によってトレイ３の内側に収納される。【選択図】  図１
2007066432.tif 000002
【特許請求の範囲】
【請求項１】
ディスクを搬入／搬出するトレイと、前記ディスクを回転駆動するターンテーブルと、このターンテーブルと対向して前記ディスクを挟持するクランパと、前記ディスクの記録面にレーザー光を照射するピックアップレンズと、これら構成部品を組付けるためのフレームとを備え、前記ディスクが交換可能な前記ディスクの搬出位置から前記ピックアップレンズに臨むディスクの搬入位置まで前記トレイを移動させ、このトレイに載置したディスクの記録／再生を行うディスク装置において、前記トレイにスライド体を摺動自在に組み込み、このスライド体に少なくとも前記トレイの搬出動作に連動して前記フレームと係合する係合部と、前記ピックアップレンズと接触可能な接触体とを設け、前記係合部と前記フレームとの係合により前記トレイの搬出動作途中で前記ピックアップレンズと接触体とを接触した状態で前記スライド体の移動を規制し、このピックアップレンズと接触体とを接触させた状態で前記トレイを前記ディスクの搬出位置まで移動可能としたことを特徴とするディスク装置。
【請求項２】
少なくとも前記ディスクの搬入位置において、前記トレイに組み込んだスライド体をトレイの内側に収納させる復帰手段を設けたことを特徴とする請求項１記載のディスク装置。
【請求項３】
前記復帰手段が前記トレイとスライド体との間に架設したコイルバネによって構成されていることを特徴とする請求項２記載のディスク装置。
【請求項４】
前記接触体が可撓性を備えたブラシ体によって構成され、該ブラシ体によって前記ピックアップレンズに付着した埃などを払拭するように構成したことを特徴とする請求項１〜３の何れか１項に記載のディスク装置。
【請求項５】
前記接触体が吸収材によって構成され、該吸収材によって前記ピックアップレンズに付着した結露水を吸水するように構成したことを特徴とする請求項１〜３の何れか１項に記載のディスク装置。
【発明の詳細な説明】
【技術分野】
【０００１】
本発明は、ディスクの記録面にレーザー光を照射してディスクの記録／再生を行うディスク装置、特にピックアップレンズに付着した埃や結露水などの異物を効果的に除去することができるディスク装置に関する。
【背景技術】
【０００２】
例えば、ＤＶＤ再生装置などのディスク装置は、ピックアップレンズによってディスクの記録面にレーザー光を照射し、ディスクからの反射光によってディスクに記録された映像信号や音声信号を読み取るように構成しており、ピックアップレンズの表面に塵埃などが付着、堆積すると、ディスクに照射するレーザ光の出力が減衰して、データ出力の低下、エラーレートの増大、フォーカス、トラッキングのサーボエラー等が発生し易い。
【０００３】
このため、特許文献１には、複数のピックアップレンズを備えたマルチヘッド対応の光ディスク装置において、カートリッジトレイの下面に回転レバーを介してクリーナブラシを回転自在に取り付け、シャーシ側に設けたストッパによってカートリッジトレイがカートリッジ挿入位置からカートリッジ引込み位置まで水平に引き込まれる間に回転レバーを回転させることによって複数のピックアップレンズを同時にクリーニングし、かつ、そのクリーニング後に捩りコイルバネによって複数のピックアップレンズと干渉しない位置まで退避するように逆方向に回転させるように構成した光ディスク装置が開示されている。
【０００４】
また、特許文献２には、単一のピックアップレンズを備えた光ディスク装置において、光ディスクを出し入れするトレイにブラシを設け、ピックアップレンズに塵埃などが付着した際、スライドモータによってピックアップレンズがブラシの位置に達したらピックアップレンズを上げる方向にフォーカス駆動することによってピックアップレンズにブラシを接触させ、さらに、ディスクに対して水平の半径方向に数回〜数十回、ピックアップレンズをトラッキング駆動してピックアップレンズを往復させることによってピックアップレンズをクリーニングするように構成した光ディスク装置が開示されている。
【０００５】
【特許文献１】特開平９−１８０２３３号公報
【特許文献２】特開平１０−１１６４３７号公報
【発明の開示】
【発明が解決しようとする課題】
【０００６】
前述した特許文献１で示す光ディスク装置は、複数のピックアップレンズを備えたマルチヘッド対応の光ディスク装置のクリーニング機構に関するものであって、複数のピックアップレンズに対応してカートリッジトレイに複数のクリーナブラシを回転自在に取り付けることから、部品点数の増加を招くばかりでなく、クリーナブラシを回転するためのストッパやクリーナブラシを復帰するための捩りコイルバネも必要があり、組立工数も増加し、コストアップを招く。このため、単一のピックアップレンズを備えたＤＶＤ再生装置などにおいては、特許文献２に示すようにディスクを搬送するトレイにピックアップレンズに対応した１つのブラシを設けたほうが組付作業を簡略化でき部品点数の削減も可能である。しかし、特許文献２に示す光ディスク装置は、ブラシの停止位置に合わせてピックアップレンズを移動させた後、ブラシに対してピックアップレンズを前後方向に往復動させることから、ピックアップレンズを往復動するための制御手段が必要であり、やはりコストアップを招く。加えて、ディスクの再生動作とは別にクリーニング動作を行うことから、非効率的である。
【０００７】
ところで、特許文献１の従来例には、図１２に示すように、トレイＡの後端に垂直状のクリーナブラシＢを直接固着し、図１２（ａ）に示すトレイＡ上のディスクに記憶された情報を読み取るディスクの搬入位置Ｐ１から図１２（ｂ）に示すディスクの搬出位置Ｐ２まで水平に引込む際に、ピックアップレンズＣにクリーナブラシＢを接触させて該ピックアップレンズＣに沿って摺動させることによって、前記ピックアップレンズＣを自動的にクリーニングするようにした構造が開示されている。このような構造においては、ディスクを載置するトレイＡにクリーナブラシＢを取り付けるだけで、前記トレイＡによるディスクの搬入／搬出動作に連動してクリーナブラシＢがスライドしてピックアップレンズＣの表面に付着した塵埃を効果的に払拭することができるという利点を有している。しかし、ＤＶＤ再生装置は、ピックアップレンズＣとディスクを回転するためのターンテーブルＤとがクリーナブラシＢの移動軌跡上に配置されているため、ディスクの搬入位置Ｐ１から搬出位置Ｐ２までの間にクリーナブラシＢがピックアップレンズＣのみならずターンテーブルＤにも接触してしまう。このため、クリーナブラシＢとターンテーブルＤとの干渉によってクリーナブラシＢが早期に損傷し、クリーナブラシＢのクリーニング機能が低下する虞れがある。このようなクリーナブラシＢとターンテーブルＤとの干渉を防止するためには、トレイＡが最も外側に配置されるディスクの搬出位置Ｐ２でトレイＡに取り付けたクリーナブラシＢがターンテーブルＤの後方、すなわち、ターンテーブルＤとピックアップレンズＣとの間に配置する必要があるが、このようにディスクの搬出位置Ｐ２でトレイＡのクリーナブラシＢがターンテーブルＤと接触しないようにするためには、トレイＡの後端部を不必要に後方に突出させる必要があり、ディスク装置の大型化を招く、という課題を有している。
【０００８】
本発明は上述した問題点に鑑みてなされたものであり、トレイの大型化を招くことなく、ピックアップレンズと接触させて主にピックアップレンズをクリーニングさせる接触体とターンテーブルとの干渉を防止することができるディスク装置を提供することを目的とする。
【課題を解決するための手段】
【０００９】
請求項１のディスク装置は、ディスクを搬入／搬出するトレイと、前記ディスクを回転駆動するターンテーブルと、このターンテーブルと対向して前記ディスクを挟持するクランパと、前記ディスクの記録面にレーザー光を照射するピックアップレンズと、これら構成部品を組付けるためのフレームとを備え、前記ディスクが交換可能な前記ディスクの搬出位置から前記ピックアップレンズに臨むディスクの搬入位置まで前記トレイを移動させ、このトレイに載置したディスクの記録／再生を行うディスク装置において、前記トレイにスライド体を摺動自在に組み込み、このスライド体に少なくとも前記トレイの搬出動作に連動して前記フレームと係合する係合部と、前記ピックアップレンズと接触可能な接触体とを設け、前記係合部と前記フレームとの係合により前記トレイの搬出動作途中で前記ピックアップレンズと接触体とを接触した状態で前記スライド体の移動を規制し、このピックアップレンズと接触体とを接触させた状態で前記トレイを前記ディスクの搬出位置まで移動可能としたことを特徴とする。
【００１０】
請求項１の構成により、ローディング機構によりトレイをディスクの搬入位置から搬出位置となるフレームの前面へ引き出す際、トレイに組み込んだスライド体はトレイの移動に連動してトレイと一体的に移動する。このトレイとスライド体の移動により、スライド体に設けた接触体がピックアップレンズに当接すると、スライド体に形成する係合部がフレームと係合してスライド体の移動が規制されるため、トレイのみが移動してディスクがセット可能な搬出位置まで引き出される。一方、ディスクの搬出位置となるフレームの前面へ引き出されたトレイをローディング機構によって搬入位置まで引き込むと、トレイに組み込まれたスライド体の接触体がピックアップレンズから離れ、前記接触体によってピックアップレンズの表面に付着・堆積した塵埃あるいは結露水が除去される。
【００１１】
請求項２のディスク装置は、請求項１記載のディスク装置において、少なくとも前記ディスクの搬入位置において、前記トレイに組み込んだスライド体をトレイの内側に収納させる復帰手段を設けたことを特徴とする。
【００１２】
請求項２の構成により、ディスクの搬出位置となるフレームの前面へ引き出されたトレイをローディング機構によって搬入位置まで引き込む際、トレイに組み込んだスライド体が復帰手段によって前記トレイの内側に収納される。
【００１３】
請求項３のディスク装置は、請求項２記載のディスク装置において、前記復帰手段が前記トレイとスライド体との間に架設したコイルバネによって構成されていることを特徴とする。
【００１４】
請求項３の構成により、トレイの移動時において、トレイに組み込んだスライド体はトレイの内側に向かう付勢力が付与され、ディスクの搬入位置において、スライド体が前記トレイの内側に収納される。
【００１５】
請求項４のディスク装置は、請求項１〜３の何れか１項に記載のディスク装置において、前記接触体が可撓性を備えたブラシ体によって構成され、該ブラシ体によって前記ピックアップレンズに付着した埃などを払拭するように構成したことを特徴とする。
【００１６】
請求項４の構成により、トレイの搬入／搬出動作に連動して該トレイに設けたブラシ体によってピックアップレンズに付着した埃などが払拭される。
【００１７】
請求項５のディスク装置は、請求項１〜３の何れか１項に記載のディスク装置において、前記接触体が吸収材によって構成され、該吸収材によって前記ピックアップレンズに付着した結露水を吸水するように構成したことを特徴とする。
【００１８】
請求項５の構成により、トレイの搬入／搬出動作に連動して該トレイに設けた吸収材によってピックアップレンズに付着した結露水が吸水される。
【発明の効果】
【００１９】
請求項１のディスク装置によれば、ディスクを搬入／搬出するトレイと、前記ディスクを回転駆動するターンテーブルと、このターンテーブルと対向して前記ディスクを挟持するクランパと、前記ディスクの記録面にレーザー光を照射するピックアップレンズと、これら構成部品を組付けるためのフレームとを備え、前記ディスクが交換可能な前記ディスクの搬出位置から前記ピックアップレンズに臨むディスクの搬入位置まで前記トレイを移動させ、このトレイに載置したディスクの記録／再生を行うディスク装置において、前記トレイにスライド体を摺動自在に組み込み、このスライド体に少なくとも前記トレイの搬出動作に連動して前記フレームと係合する係合部と、前記ピックアップレンズと接触可能な接触体とを設け、前記係合部と前記フレームとの係合により前記トレイの搬出動作途中で前記ピックアップレンズと接触体とを接触した状態で前記スライド体の移動を規制し、このピックアップレンズと接触体とを接触させた状態で前記トレイを前記ディスクの搬出位置まで移動可能としたことにより、スライド体に形成する係合部がフレームに係合すると、接触体とピックアップレンズとが接触した状態でスライド体の移動が規制され、トレイのみが前方に移動するから、接触体とターンテーブルとの干渉を抑制することができ、接触体の磨耗によるピックアップレンズのクリーニング機能を安定した状態に保つことができる。
【００２０】
請求項２のディスク装置によれば、請求項１記載のディスク装置において、少なくとも前記ディスクの搬入位置において、前記トレイに組み込んだスライド体をトレイの内側に収納させる復帰手段を設けたことにより、トレイをディスクの搬入位置まで引き込む際、スライド体を復帰手段によってトレイの内側に収納させてディスク装置の大型化を抑制することができる。
【００２１】
請求項３のディスク装置によれば、請求項２記載のディスク装置において、前記復帰手段が前記トレイとスライド体との間に架設したコイルバネによって構成されているから、トレイの移動時において、トレイに組み込んだスライド体は前記トレイの内側に向かう付勢力が付与され、ディスクの搬入位置において、トレイをディスクの搬入位置まで引き込む際、スライド体をコイルバネによって前記トレイの内側に収納させてディスク装置の大型化を抑制することができる。
【００２２】
請求項４のディスク装置によれば、請求項１〜３の何れか１項に記載のディスク装置において、前記接触体が可撓性を備えたブラシ体によって構成され、該ブラシ体によって前記ピックアップレンズに付着した埃などを払拭するように構成したことにより、トレイに設けたブラシ体によってピックアップレンズに付着した埃などを払拭させ、ピックアップレンズの汚れによるレーザ光の出力低下を極力、抑えることができる。
【００２３】
請求項５のディスク装置によれば、請求項１〜３の何れか１項に記載のディスク装置において、前記接触体が吸収材によって構成され、該吸収材によって前記ピックアップレンズに付着した結露水を吸水するように構成したことにより、トレイに設けた吸収材によってピックアップレンズに付着した結露水が吸水され、ピックアップレンズに付着した結露水によるレーザ光の出力低下を抑制することができる。
【発明を実施するための最良の形態】
【００２４】
以下、本発明の具体的実施例について、添付図面を参照しながら説明する。なお、以下の実施態様は、本発明を具体化する際の一形態であって、本発明をその範囲内に限定するためのものではない。
【実施例１】
【００２５】
図１〜図９は本実施例のディスク装置の実施例１を示し、図１は、ディスクの搬出動作を示すトレイの断面図、図２はディスクの搬出時においてブラシがピックアップレンズに接触した状態を示すトレイの断面図、図３はディスクの搬出位置におけるトレイの断面図、図４はトレイとスライド体との分解状態を示す一部を切り欠いた分解斜視図、図５はトレイとスライド体とを切り欠いた状態を示す分解斜視図、図６はトレイを切り欠いた斜視図、図７はディスクの搬入位置を示すディスク装置の平面図、図８はスライド体の係合部とトレイとの係合状態を示すディスク装置の平面図、図９はディスクの搬出位置を示すディスク装置の平面図である。図１〜図９で示すように、ディスク装置１は、ディスク（図示せず）を搬入／搬出するトレイ３と、ディスクを回転駆動するターンテーブル４と、このターンテーブルと対向して前記ディスクを挟持するクランパ４Ａと、ディスクの半径方向へ進退可能に設けたピックアップレンズ５などを主要構成部品とし、これら主要構成部品を合成樹脂製のフレーム７に組付けている。また、前記ターンテーブル４とピックアップレンズ５及びその送り機構８は金属製の支持フレーム９に固定して一体的にユニット化している。
【００２６】
前記フレーム７は、水平方向に延びる水平壁部７Ａと、この水平壁部７Ａの左右両側に一体形成する側壁部７Ｂとで構成され、前記水平壁部７Ａに形成する開口部７Ｃに臨ませて前記支持フレーム９を固定するとともに、側壁部７Ｂの内面に前記トレイ３を案内するレール１２を形成し、このレール１２に沿わせてトレイ３をフレーム７に対して前後方向に移動可能に案内している。また、前記フレーム７の側壁部７Ｂの間に帯板状の支持部７Ｄが一体的に架設され、この支持部７Ｄの中央部に前記ターンテーブル４と対向するクランパ４Ａが固定されており、このクランパ４Ａとターンテーブル４とでディスクを挟持して、ディスクを回転するように構成している。また、側壁部７Ｂ間には図示はしないが前記ピックアップレンズ５によりディスクから光学的に読み出された映像／音声信号を復調し、圧縮された映像／音声信号を伸張して元の映像／音声信号に復号するＭＰＥＧ（Ｍｏｖｉｎｇ  Ｐｉｃｔｕｒｅ  Ｅｘｐｅｒｔｓ  Ｇｒｏｕｐ）基板などの制御用の回路基板が架設されている。
【００２７】
符号１３は前記トレイ３の後部に組み込んだスライド体であり、トレイ３には該トレイ３の移動方向に沿って前記スライド体１３を案内する左右一対のガイドレール１５が形成されるとともに、そのガイドレール１５の延長線上に位置して逆Ｔ字状のレール部１８がトレイ３の裏面に垂設されている。一方、スライド体１３には左右一対のレール溝１７が形成され、そのレール溝１７に前記トレイ３に形成するレール部１８を挿入することによって、スライド体１３はレール部１８とガイドレール１５に沿って摺動自在に案内される。また、トレイ３とスライド体１３には相対向してフック部１９Ａ,１９Ｂが形成され、そのフック部１９Ａ,１９Ｂ間に復帰部材としてコイルバネ２０が架設され、このコイルバネ２０によってトレイ３に組み込まれるスライド体１３には常時、閉じる方向の付勢力が付与される。また、スライド体１３の裏面側には、前記ピックアップレンズ５との接触体としてブラシ１６が固定されるとともに、スライド体１３の後端縁には前記ブラシ１６とピックアップレンズ５とが接触した位置で前記支持部７Ｄと当接して前記スライド体１３を保持するための係合部たるストッパ２１が立設されている。
【００２８】
以上のように構成される光ディスク装置の動作について説明すると、先ず、図示しないローディング機構を駆動して図１に示すようにトレイ３をフレーム７の前面へ引き出す。この時、トレイ３に組み込んだスライド体１３はコイルバネ２０によってトレイ３の移動に連動して前記トレイ３と一体的に移動する。このトレイ３とスライド体１３の移動により、図２に示すようにスライド体１３の裏面側に設けたブラシ１６がピックアップレンズ５と当接すると、スライド体１３に形成するストッパ２１がフレーム７の支持部７Ｄと係合してトレイ３のみが前方に移動し、ブラシ１６とピックアップレンズ５とが接触した状態でスライド体１３が停止する。この際、トレイ３の裏面に垂設されるレール部１８がスライド体１３のレール溝１７に沿って案内され、ブラシ１６とピックアップレンズ５とが接触した状態でトレイ３のみが移動し、図３及び図９に示すようにトレイ３は前記トレイ３とスライド体１３との間に架設したコイルコイルバネ２０に抗してディスクがセット可能なディスク搬出位置まで引き出される。
【００２９】
フレーム７の前面へ引き出されたトレイ３の凹部３Ａにディスクを載置あるいはディスクを取り外した後、再び図示しないローディング機構を駆動してトレイ３をフレーム７内部へ引き込む。この際、トレイ３に組み込まれたスライド体１３は、前記コイルバネ２０によってスライド体１３のストッパ２１とフレーム７の支持部７Ｄとが係合した位置、すなわち、ブラシ１６とピックアップレンズ５とが接触した位置で保持される。この後、スライド体１３の移動によってトレイ３のレール部１８がスライド体１３のレール溝１７の端部まで到達（図２参照）するとトレイ３とスライド体１３とが同体的に移動し、ストッパ２１が支持部７Ｄから離れるとともに、スライド体１３のブラシ１６がピックアップレンズ５から離れる。これにより、ブラシ１６によってピックアップレンズ５の表面に付着・堆積した塵埃を除去する。そして、トレイ３は図７に示すようにディスクとピックアップレンズ５とが対向する搬入位置へと搬送され、トレイ３に組み付けたスライド体１３はコイルバネ２０の付勢力によってトレイ３の内側に収納される。
【００３０】
以上のように構成される本実施例では、スライド体１３に設けたストッパ２１とフレーム７の支持部７Ｄとを係合させることによって、トレイ３に組み込んだスライド体１３に設けたブラシ１６をピックアップレンズ５に接触させた状態でスライド体１３の移動を規制することができるため、ブラシ１６とターンテーブル４との接触を防止することができる。これにより、ターンテーブル４との接触によるブラシ１６の磨耗あるいはブラシ１６によるターンテーブル４の損傷を抑制することができ、長期に渡ってブラシ１６によりピックアップレンズ５のクリーニング機能を安定した状態に維持することができる。さらに、ブラシ１６を設けたスライド体１３をトレイ３に摺動自在に組み込むことによって前記ブラシ１６がピックアップレンズ５に接触した状態からディスクが載置または取り出し可能なディスク搬出位置までトレイ３を引き出すことが可能であるとともに、トレイ３上に載置されたディスクが再生（記録）可能な位置まで前記トレイ３をフレーム７の内側まで移動させた際、スライド体１３は、トレイ３とスライド体１３とを連結するコイルバネ２０によって前記トレイ３の内側に収納され、該トレイ３、ひいてはディスク装置１のフレーム７を必要以上に大型化することなく、スライド体１３に設けたブラシ１６によってピックアップレンズ５の表面に付着・堆積した塵埃を効果的に払拭することが可能となる。
【実施例２】
【００３１】
図１０及び図１１は本発明の実施例２を示し、図１０はトレイの断面図、図１１はホルダの斜視図である。なお、図１０及び図１１に示す実施例２において、前記実施例１と同一機能を有する部分には同一符号を付し、前記実施例１と共通する部分の説明を省略し、異なる部分についてのみ説明する。
【００３２】
前記実施例１においては、スライド体１３に接触体としてブラシ１６を取付け、該ブラシ１６によってピックアップレンズ５の表面に付着・堆積した塵埃を払拭するように構成した例を示したが、本実施例では、温度差などによってピックアップレンズ５の表面に生じる結露水を吸水するためにスライド体１３に接触体として積層紙３０からなる吸水材３１を取り付けており、その吸水材３１以外の構成は実施例１と実質同一である。
【００３３】
前記積層紙３０はホルダ３２によってスライド体１３に組み込まれている。前記ホルダ３２は一対の取付板３３を有して全体としてコ字型を成し、取付板３３の内面に前記吸水材３１を装着する取付部３３Ａを一体形成している。また、前記ホルダ３２の上面側には、位置決め用のボス部３５と取付け用の弾性フック３６とが一体形成され、スライド体１３にはボス部３５と弾性フック３６に対応して位置決め孔３７と取付孔３８とが設けられ、ホルダ３２のボス部３５と弾性フック３６をスライド体１３の位置決め孔３７と取付孔３８に係合させることによって積層紙３０を備えたホルダ３２はスライド体１３に対して着脱可能に組み付けられる。なお、積層紙３０の吸水性が低下した場合、ホルダ３２をスライド体１３から取り外し、前記ホルダ３２に組み込んだ積層紙３０を交換することが可能である。
【００３４】
以上のように構成される本実施例では、前記実施例１と同様、スライド体１３に設けたストッパ２１とフレーム７の支持部７Ｄとを係合させることによって、前記スライド体１３に設けた積層紙３０をピックアップレンズ５に接触させた状態で該スライド体１３の移動を規制することができるため、ターンテーブル４との接触による積層紙３０の磨耗を防止することができ、前記積層紙３０により温度差などによってピックアップレンズ５の表面に生じる結露水を効果的に吸水することができる。また、トレイ３、ひいてはディスク装置１のフレーム７を必要以上に大型化することなく、前記ディスク装置１の小型化を図ることができる。
【００３５】
以上、本発明の一実施例を詳述したが、本発明は前記実施例に限定されるものでなく、本発明の要旨の範囲内で種々の変形実施が可能である。例えば、前記実施例１では、スライド体に設けたストッパがフレームから離れた際、スライド体を戻す手段としてコイルバネを設けた例を示したが板バネあるいは弾性体などでもよく、要はスライド体のストッパがフレームから離れた際、スライド体を復帰させる方向に付勢させる構成であればよい。また、スライド体を復帰させる方法としては、コイルバネなどによってスライド体を復帰させる方向に付勢させる以外にも例えばディスクの引込み位置までトレイを搬入した際、トレイの搬入動作によってスライド体とトレイを係合させてスライド体をトレイ内に収納するように構成してもよい。さらに、トレイに対してスライド体を案内するための取付構造やブラシや吸水材の取付構造なども前記実施例に限定されるものではなく、適宜選定すればよい。
【図面の簡単な説明】
【００３６】
【図１】本発明の実施例１を示すディスクの搬出動作を示すトレイの断面図である。
【図２】同上、ディスクの搬出時においてブラシがピックアップレンズに接触した状態を示すトレイの断面図である。
【図３】同上、ディスクの搬出位置におけるトレイの断面図である。
【図４】同上、トレイとスライド体との分解状態を示す一部を切り欠いた分解斜視図である。
【図５】同上、トレイとスライド体とを切り欠いた状態を示す分解斜視図である。
【図６】同上、トレイを切り欠いた斜視図である。
【図７】同上、ディスクの搬入位置を示すディスク装置の平面図である。
【図８】同上、スライド体とトレイとの係合状態を示すディスク装置の平面図である。
【図９】同上、ディスクの搬出位置を示すディスク装置の平面図である。
【図１０】本発明の実施例２を示すトレイの断面図である。
【図１１】同上、吸水材を組み込んだホルダの斜視図である。
【図１２】従来のクリーニング動作を示す説明図であり、図１２（ａ）はディスクの搬入位置を示し、図１２（ａ）はディスクの搬出位置を示している。
【符号の説明】
【００３７】
１    ディスク装置
４    ターンテーブル
４Ａ  クランパ
５    ピックアップレンズ
７    フレーム
７Ｄ  支持部
１３  スライド体
１６  ブラシ（接触体）
２０  コイルバネ（復帰部材）
３１  吸水材（接触体）
【図１】
2007066432.tif 000003
【図２】
2007066432.tif 000004
【図３】
2007066432.tif 000005
【図４】
2007066432.tif 000006
【図５】
2007066432.tif 000007
【図６】
2007066432.tif 000008
【図７】
2007066432.tif 000009
【図８】
2007066432.tif 000010
【図９】
2007066432.tif 000011
【図１０】
2007066432.tif 000012
【図１１】
2007066432.tif 000013
【図１２】
2007066432.tif 000014